(57)【特許請求の範囲】
【請求項１】
光源から出射された光束を画像情報に応じて変調する電気光学装置と、前記電気光学装置にて変調された前記光束を投写する投写レンズとを備えたプロジェクタであって、
前記電気光学装置を冷却する一対のファンと、
前記電気光学装置と前記一対のファンとを収納する筐体とを具備し、
前記筐体には、外部の空気が吸気される吸気口が形成されており、
前記一対のファンは、前記投写レンズに隣接して両側に配設されており、
前記一対のファンの各吸気孔は、前記吸気口に連通しており、
前記一対のファンは、回転方向が投写レンズを中心として左右対称である
ことを特徴としたプロジェクタ。
【請求項２】
請求項１に記載のプロジェクタにおいて、
前記一対のファンは、同一のファンである
ことを特徴としたプロジェクタ。
【発明の詳細な説明】
【０００１】
【発明の属する技術分野】
本発明は、プロジェクタに関する。特に、光源から出射された光束を画像情報に応じて変調して投写レンズから投写させる電気光学装置を冷却する冷却装置を備えたプロジェクタに関する。
【０００２】
【背景技術】
従来、例えば画像情報に応じて液晶パネルなどの電気光学装置で変調された色光をプリズムなどにて合成し、投写レンズを介してカラー画像を拡大投写する、いわゆる三板式のプロジェクタが知られている。このプロジェクタの光学ユニットは、光源から出射された光束を、ダイクロイックミラーによって赤（Ｒ）、緑（Ｇ）および青（Ｂ）の三原色の色光に分離する。さらに、光学ユニットは、電気光学装置である三枚の液晶パネルにより各色光毎に画像情報に応じて変調し、変調後の光束をクロスダイクロイックプリズムで合成する。
【０００３】
このような従来のプロジェクタでは、熱に対して比較的に弱い液晶パネルを利用して色光を変調する光学ユニットを備えている。このため、従来のプロジェクタでは、光源から発生する熱などにて損傷することを防止するために、特に光学ユニットの液晶パネル近傍に送風して冷却する冷却ファンを備えている。
【０００４】
ところで、単に冷却ファンを光学ユニットの液晶パネルの近傍に配設したのでは、冷却ファンによりプロジェクタが大型化する。また、投写レンズは円柱状であることから、この投写レンズの周囲に有効活用しにくい空間であるデッドスペースが生じやすい。
【０００５】
そこで、従来のプロジェクタとして、例えば特開平１１−１６０７９３号公報に記載の構成が知られている。この特開平１１−１６０７９３号公報に記載のプロジェクタは、冷却ファンを投写レンズに隣接させて配設している。また、冷却ファンの排気側には、排気ダクトが設けられている。この排気ダクトは、冷却ファンからの排気風を光学ユニットの液晶パネル近傍に下方から送風して冷却させる。また、光学ユニットの上方には、排気ダクトから光学ユニットに送風された排気風を回収する循環ダクトが配設されている。そして、この循環ダクトは、回収した排気風を冷却用ヒートシンクにて冷却した後に冷却ファンの吸気側に送風する。そして、上記特開平１１−１６０７９３号公報に記載の従来のプロジェクタは、投写レンズの周囲の空間を有効活用して小型化するとともに、光学ユニットに送風する冷却ファンからの排気風を循環させる密閉構造により外部からの塵埃の混入を防止する構成が採られている。
【０００６】
【発明が解決しようとする課題】
しかしながら、上記特開平１１−１６０７９３号公報に記載の従来のプロジェクタでは、冷却ファンからの排気風を循環させる密閉構造であるため、構造が複雑で、さらなる小型化が図りにくい問題がある。また、１つの冷却ファンにより光学ユニットを冷却するので、光学ユニットに有る程度の風量で送風する必要があり、冷却ファンの負荷が大きくなり、騒音の低減が図れない問題も有している。
【０００７】
本発明は、上記問題点に鑑みて、簡単な構造で容易に小型化でき、さらにファンの負荷を低減して騒音を低減できるプロジェクタを提供することを目的とする。
【０００８】
【課題を解決するための手段】
本発明のプロジェクタは、光源から出射された光束を画像情報に応じて変調する電気光学装置と、前記電気光学装置にて変調された前記光束を投写する投写レンズとを備えたプロジェクタであって、前記電気光学装置を冷却する一対のファンと、前記電気光学装置と前記一対のファンとを収納する筐体とを具備し、前記筐体には、外部の空気が吸気される吸気口が形成されており、前記一対のファンは、前記投写レンズに隣接して両側に配設されており、前記一対のファンの各吸気孔は、前記吸気口に連通しており、前記一対のファンは、回転方向が投写レンズを中心として左右対称であることを特徴とする。
【０００９】
本発明のこのような構成によれば、投写レンズに隣接して投写レンズの両側に回転方向が投写レンズを中心として左右対称に一対配設したファンにより電気光学装置を冷却するので、投写レンズの周囲の空間を有効活用して小型化を図るとともに、電気光学装置を冷却するための風量が十分に確保され、ファンの負荷が低減することから、騒音の低減が図れる。また、一対のファンがそれぞれ連通する吸気口を１つにすることが可能で、１つの吸気口を設ける簡単な構造で吸気可能で、複数の吸気口を設ける場合に比して、製造性が向上する。さらに、一対のファンの回転方向を投写レンズを中心として左右対称とすることにより、同一のファンを用いることが可能で、組立性が向上する。
【００１０】
さらに、本発明のプロジェクタでは、一対のファンは、同一のファンであることが好ましい。
【００１１】
このような構成によれば、同一のファンを用いたので、ファンの組付けの際の方向性がなく、組立性が向上する。
【００１４】
【発明の実施の形態】
以下、本発明の一実施の形態を図面に基づいて説明する。
【００１５】
〔１．プロジェクタの主な構成〕
図１は、本一実施の形態に係るプロジェクタ１を上方から見た全体斜視図、図２は、プロジェクタ１を下方から見た全体斜視図、図３ないし図５は、プロジェクタ１の内部を示す斜視図である。具体的に、図３は、図１の状態からプロジェクタ１のアッパーケース２１を外した図、図４は、図３の状態からシールド板８０、ドライバーボード９０、および上ライトガイド４７２を外して後方側から見た図、図５は、図４の状態から光学ユニット４を外した図である。プロジェクタを構成するこれらの部品４，２１，８０，９０，４７２については、以下に詳説する。
【００１６】
図１ないし図３において、プロジェクタ１は、筐体としての外装ケース２と、外装ケース２内に収容された電源ユニット３と、同じく外装ケース２内に配置された平面Ｕ字形の光学ユニット４とを備え、全体略直方体形状となっている。
【００１７】
外装ケース２は、それぞれ樹脂製とされたアッパーケース２１、ロアーケース２３で構成されている。これらのケース２１、２３は、互いにネジで固定されている。
【００１８】
アッパーケース２１は、上面部２１１と、その周囲に設けられた側面部２１２と、背面部２１３と、正面部２１４で形成されている。
上面部２１１の前方側には、ランプカバー２４が嵌め込み式で着脱自在に取り付けられている。また、上面部２１１において、ランプカバー２４の側方には、投写レンズ４６の上面部分が露出した切欠部２１１Ａが設けられ、投写レンズ４６のズーム操作、フォーカス操作をレバーを介して手動で行えるようになっている。この切欠部２１１Ａの後方側には、操作パネル２５が設けられている。
正面部２１４は、前記アッパーケース２１の切欠部２１１Ａと連続した丸孔開口２１２Ａを備え、この丸孔開口２１２Ａに対応して投写レンズ４６が配置されている。この正面部２１４において、丸孔開口２１２Ａとは反対側には、内部の電源ユニット３の前方側に位置した排気口２１２Ｂが設けられ、この排気口２１２Ｂには、冷却空気を画像投写領域から外れる方向、すなわち図１中左側へ排気するとともに、遮光を兼ねた排気用ルーバ２６が設けられている（排気用ルーバ２６は実際には、ロアーケース２３に取り付けられている）。
【００１９】
ロアーケース２３は、底面部２３１と、その周囲に設けられた側面部２３２および背面部２３３とで形成されている。
底面部２３１の前方側には、プロジェクタ１全体の傾きを調整して投写画像の位置合わせを行う位置調整機構２７が設けられている。また、底面部２３１後方側の一方の隅部には、プロジェクタ１の別方向の傾きを調整する別の位置調整機構２８が設けられ、他方の隅部には、リアフット２３１Ａが設けられている。ただし、リアフット２３１Ａは、位置を調整することはできない。さらに、底面部２３１には、冷却空気の吸気口２３１Ｂが設けられている。また、この吸気口２３１Ｂには、格子状に複数の吸気用口２３１Ｃ１を開口するカバー体２３１Ｃが着脱可能に取り付けられている。
一方の側面部２３２には、コ字形のハンドル２９を回動自在に取り付けるための取付部２３２Ａが設けられている。
【００２０】
このような外装ケース２の一方の側面側においては、アッパーケース２１およびロアーケース２３の各側面部２１２，２３２には、ハンドル２９を上側にしてプロジェクタ１を立てた場合の足となるサイドフット２Ａ（図２）が設けられている。
また、外装ケース２の背面側には、アッパーケース２１の背面部２１３とロアーケース２３の背面部２３３に跨って開口したインターフェース部２Ｂが設けられ、このインターフェース部２Ｂ内にはインターフェースカバー２１５が設けられ、さらに、インターフェースカバー２１５の内部側には、種々のコネクタが実装された図示略のインターフェース基板が配置されるようになっている。また、インターフェース部２Ｂの左右両側には、各背面部２１３，２３３に跨ってスピーカ孔２Ｃおよび吸気口２Ｄが設けられている。このうちの吸気口２Ｄは、内部の電源ユニット３の後方側に位置している。
【００２１】
電源ユニット３は、図４に示すように、電源３１と、電源３１の側方に配置されたランプ駆動回路（バラスト）３２とで構成されている。
電源３１は、電源ケーブルを通して供給された電力をランプ駆動回路３２やドライバーボード９０（図３）等に供給するものであり、前記電源ケーブルが差し込まれるインレットコネクタ３３（図２）を備えている。
ランプ駆動回路３２は、電力を光学ユニット４の光源ランプ４１１に供給するものである。
【００２２】
光学ユニット４は、図４、図６、図７に示すように、光源ランプ４１１から出射された光束を、光学的に処理して画像情報に対応した光学像を形成するユニットであり、インテグレータ照明光学系４１、色分離光学系４２、リレー光学系４３、電気光学装置４４、色合成光学系としてのクロスダイクロイックプリズム４５（図７）、および投写光学系としての投写レンズ４６を備えている。
【００２３】
これら電源ユニット３および光学ユニット４は、上下を含む周囲のアルミ製のシールド板８０（図３、図５）で覆われており、これによって、電源ユニット３等から外部への電磁ノイズの漏れを防止している。
【００２４】
〔２．光学系の詳細な構成〕
図４、図７において、インテグレータ照明光学系４１は、電気光学装置４４を構成する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１３と、第１レンズアレイ４１８と、ＵＶフィルタを含む第２レンズアレイ４１４と、偏光変換素子４１５と、第１コンデンサレンズ４１６と、反射ミラー４２４と、第２コンデンサレンズ４１９とを備えている。なお、液晶パネル４４１Ｒ，４４１Ｇ，４４１Ｂは、それぞれでも電気光学装置として機能する。
【００２５】
これらのうち、光源装置４１３は、放射状の光線を出射する放射光源としての光源ランプ４１１と、この光源ランプ４１１から出射された放射光を反射するリフレクタ４１２とを有する。光源ランプ４１１としては、ハロゲンランプやメタルハライドランプ、または高圧水銀ランプが用いられることが多い。リフレクタ４１２としては、放物面鏡を用いている。放物面鏡の他、平行化レンズ（凹レンズ）と共に楕円面鏡を用いてもよい。
【００２６】
第１レンズアレイ４１８は、光軸方向から見てほぼ矩形状の輪郭を有する小レンズがマトリクス状に配列された構成を有している。各小レンズは、光源ランプ４１１から出射される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００２７】
第２レンズアレイ４１４は、第１レンズアレイ４１８と略同様な構成を有しており、小レンズがマトリクス状に配列された構成を有している。この第２レンズアレイ４１４は、第１コンデンサレンズ４１６および第２コンデンサレンズ４１９とともに、第１レンズアレイ４１８の各小レンズの像を液晶パネル４４１上に結像させる機能を有している。
【００２８】
偏光変換素子４１５は、第２レンズアレイ４１４と第１コンデンサレンズ４１６との間に配置されるとともに、第２レンズアレイ４１４と一体でユニット化されている。このような偏光変換素子４１５は、第２レンズアレイ４１４からの光を１種類の偏光光に変換するものであり、これにより、電気光学装置４４での光の利用効率が高められている。
【００２９】
具体的に、偏光変換素子４１５によって１種類の偏光光に変換された各部分光は、第１コンデンサレンズ４１６および第２コンデンサレンズ４１９によって最終的に電気光学装置４４の液晶パネル４４１Ｒ，４４１Ｇ，４４１Ｂ上にほぼ重畳される。偏光光を変調するタイプの液晶パネル４４１を用いたプロジェクタでは、１種類の偏光光しか利用できないため、他種類のランダムな偏光光を発する光源ランプ４１１からの光のほぼ半分が利用されない。
そこで、偏光変換素子４１５を用いることにより、光源ランプ４１１からの出射光を全て１種類の偏光光に変換し、電気光学装置４４での光の利用効率を高めている。なお、このような偏光変換素子４１５は、たとえば特開平８−３０４７３９号公報に紹介されている。
【００３０】
色分離光学系４２は、２枚のダイクロイックミラー４２１，４２２と、反射ミラー４２３とを備え、ダイクロイックミラー４２１、４２２によりインテグレータ照明光学系４１から出射された複数の部分光束を赤、緑、青の３色の色光に分離する機能を有している。
【００３１】
リレー光学系４３は、入射側レンズ４３１、リレーレンズ４３３、および反射ミラー４３２、４３４を備え、色分離光学系４２で分離された色光、青色光を液晶パネル４４１Ｂまで導く機能を有している。
【００３２】
この際、色分離光学系４２のダイクロイックミラー４２１では、インテグレータ照明光学系４１から出射された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色用の液晶パネル４４１Ｒに達する。このフィールドレンズ４１７は、第２レンズアレイ４１４から出射された各部分光束をその中心軸（主光線）に対して平行な光束に変換する。他の液晶パネル４４１Ｇ、４４１Ｂの光入射側に設けられたフィールドレンズ４１７も同様である。
【００３３】
ダイクロイックミラー４２１を透過した青色光と緑色光のうちで、緑色光はダイクロイックミラー４２２によって反射し、フィールドレンズ４１７を通って緑色用の液晶パネル４４１Ｇに達する。一方、青色光はダイクロイックミラー４２２を透過してリレー光学系４３を通り、さらにフィールドレンズ４１７を通って青色光用の液晶パネル４４１Ｂに達する。なお、青色光にリレー光学系４３が用いられているのは、青色光の光路の長さが他の色光の光路長さよりも長いため、光の拡散等による光の利用効率の低下を防止するためである。すなわち、入射側レンズ４３１に入射した部分光束をそのまま、フィールドレンズ４１７に伝えるためである。
【００３４】
電気光学装置４４は、３枚の光変調装置としての液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
【００３５】
クロスダイクロイックプリズム４５は、３枚の液晶パネル４４１Ｒ，４４１Ｇ，４４１Ｂから出射された各色光毎に変調された画像を合成してカラー画像を形成するものである。なお、クロスダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、クロスダイクロイックプリズム４５で合成されたカラー画像は、投写レンズ４６から出射され、スクリーン上に拡大投写される。
【００３６】
以上説明した各光学系４１〜４５は、図４、図６に示すように、光学ユニット用の筐体としての合成樹脂製のライトガイド４７内に収容されている。
このライトガイド４７は、前述の各光学素子４１４〜４１９，４２１〜４２３，４３１〜４３４を上方からスライド式に嵌め込む溝部がそれぞれ設けられた下ライトガイド４７１と、下ライトガイド４７１の上部の開口側を閉塞する蓋状の上ライトガイド４７２とで構成されている。
また、ライトガイド４７の光出射側にはヘッド部４９が形成されている。ヘッド部４９の前方側に投写レンズ４６が固定され、後方側に液晶パネル４４１Ｒ，４４１Ｇ，４４１Ｂが取り付けられたクロスダイクロイックプリズム４５が固定されている。
【００３７】
〔３．冷却構造〕
本一実施の形態のプロジェクタ１では、液晶パネル４４１Ｒ，４４１Ｇ，４４１Ｂを主に冷却する本発明に係る冷却装置であるパネル冷却系Ａと、光源ランプ４１１を主に冷却するランプ冷却系Ｂと、電源３１を主に冷却する電源冷却系Ｃとを備えている。
【００３８】
図２、図４、図５において、パネル冷却系Ａでは、投写レンズ４６の両側に配置された一対のファンとしてのシロッコファン５１Ａ，５１Ｂが用いられている。シロッコファン５１Ａ，５１Ｂによって下面の吸気口２３１Ｂから吸引された冷却空気は、液晶パネル４４１Ｒ，４４１Ｇ，４４１Ｂを下方から上方に向けて冷却した後、ドライバーボード９０（図３）の下面を冷却しながら前方隅部の軸流排気ファン５３側に寄せられ、前面側の排気口２１２Ｂから排気される。
【００３９】
すなわち、冷却装置としてのパネル冷却系Ａは、図２、図４、図５および図１４ないし図１７に示すように、一対のブロワ型のシロッコファン５１Ａ，５１Ｂと、これら一対のシロッコファン５１Ａ，５１Ｂが一体的に取り付けられるダクト５２とを備えている。
【００４０】
そして、シロッコファン５１Ａは、軸方向の一端面にファン吸気孔５１Ａ１を開口し外周面に接線方向に向けてファン排気孔５１Ａ２を開口する中空略円筒状のファンケース５１Ａ３を有している。さらに、ファンケース５１Ａ３内には、電動部５１Ａ４と、この電動部５１Ａ４の図示しない出力軸に一体的に取り付けられこの出力軸の回転駆動により回転するファン翼５１Ａ５とが配設されている。なお、シロッコファン５１Ｂも同様に、ファン吸気孔５１Ｂ１およびファン排気孔５１Ｂ２を開口するファンケース５１Ｂ３と、このファンケース５１Ｂ３内に配設される電動部５１Ｂ４およびファン翼５１Ｂ５とを備えている。すなわち、シロッコファン５１Ａ，５１Ｂは、同一物すなわち形状や特性が同一の同一規格品である。
【００４１】
また、ダクト５２は、吸気ダクト部５２Ａと排気ダクト部５２Ｂとを一体に有している。そして、吸気ダクト部５２Ａには、略上方に向けて円弧状に湾曲し投写レンズ４６を保持するレンズ保持部５２Ａ１が設けられている。また、レンズ保持部５２Ａ１の外周面には、軸方向が略上下方向に沿った略四角筒状の連通筒部５２Ａ２が設けられている。この連通筒部５２Ａ２は、先端縁が外装ケース２の下面に設けられた吸気口２３１Ｂの開口縁近傍に係合される。この連通筒部５２Ａ２の吸気口２３１Ｂへの係合により、レンズ保持部５２Ａ１の外周側と連通筒部５２Ａ２の内周側とで吸気口２３１Ｂに連通する吸気室５２Ａ３が区画形成される。
【００４２】
さらに、連通筒部５２Ａ２には、レンズ保持部５２Ａ１に保持される投写レンズ４６の径方向に位置、すなわち投写レンズ４６の両側に位置する面に吸気室５２Ａ３に連通するダクト連通孔５２Ａ４がそれぞれ設けられている。そして、一対のシロッコファン５１Ａ，５１Ｂは、連通筒部５２Ａ２のダクト連通孔５２Ａ４に一対のシロッコファン５１Ａ，５１Ｂの各吸気孔５１Ａ１，５１Ｂ１が連通する状態で、ダクト５２の連通筒部５２Ａ２に例えばねじ５２Ａ５などにて取り付けられる。すなわち、一対のシロッコファン５１Ａ，５１Ｂが投写レンズ４６の径方向に位置して一対取り付けられる。なお、一対のシロッコファン５１Ａ，５１Ｂは同一であることから、回転方向が投写レンズ４６を中心として左右対称となる。
【００４３】
また、レンズ保持部５２Ａ１の外周面には、上下方向に沿った平面を有した整流部材としての整流板５２Ａ６が設けられている。この整流板５２Ａ６は、吸気室５２Ａ３をレンズ保持部５２Ａ１に保持される投写レンズ４６の径方向に沿った方向で２分割する。すなわち、吸気室５２Ａ３は、整流板５２Ａ６によりシロッコファン５１Ａに連通する第１の吸気室５２Ａ３１と、シロッコファン５１Ｂに連通する第２の吸気室５２Ａ３２とに２分割される。なお、第１の吸気室５２Ａ３１と第２の吸気室５２Ａ３２とは、風路抵抗が同等である。
【００４４】
そして、吸気ダクト部５２Ａには、外装ケース２の吸気口２３１Ｂから各シロッコファン５１Ａ，５１Ｂの各ファン吸気孔５１Ａ１，５１Ｂ１に至る第１の吸気風路５２Ａ７および第２の吸気風路５２Ａ８が形成される。
【００４５】
また、排気ダクト部５２Ｂは、上下方向に軸方向を有する略三角形筒状に形成された胴体部５２Ｂ１を有している。そして、この胴体部５２Ｂ１には、略三角形板状の整流下抑え板５２Ｂ２が下面を閉塞して一体的に取り付けられている。また、胴体部５２Ｂ１には、略三角形板状の整流上抑え板４７８が上面を閉塞して一体的に取り付けられている。そして、排気ダクト部５２Ｂは、胴体部５２Ｂ１、整流下抑え板５２Ｂ２および整流上抑え板４７８により略三角柱状に形成されている。
【００４６】
さらに、整流下抑え板５２Ｂ２の上面には、略中心に位置して上下方向に軸方向を有する四角筒状の整流筒部５２Ｂ３が設けられている。また、胴体部５２Ｂ１には、三角形の底角に対応する一方の位置に、吸気ダクト部５２Ａのレンズ保持部５２Ａ１の軸方向に略平行な方向に向けて開口する第１の排気連通孔５２Ｂ４が開口形成されている。この第１の排気連通孔５２Ｂ４には、シロッコファン５１Ａのファン排気孔５１Ａ２が連通する。
【００４７】
また、胴体部５２Ｂ１には、すなわち三角形の底部に対応する他方の位置、すなわち第１の排気連通孔５２Ｂ４と反対側に位置して、上下方向に略沿った軸方向を有した案内ダクト部５２Ｂ５が設けられている。そして、この案内ダクト部５２Ｂ５の上端には、吸気ダクト部５２Ａのレンズ保持部５２Ａ１の軸方向に略平行な方向に向けて開口する第２の排気連通孔５２Ｂ６が開口形成されている。この第２の排気連通孔５２Ｂ６には、シロッコファン５１Ｂのファン排気孔５１Ｂ２が連通する。
【００４８】
さらに、整流上抑え板４７８には、整流筒部５２Ｂ３上端が係合可能な略四角形で、かつ整流筒部５２Ｂ３の吸気ダクト部５２Ａ側以外の辺に対応する位置が略コ字状に切り欠かれた排気流出孔４７８Ａが例えば打ち抜き形成されている。そして、この排気流出孔４７８Ａと整流筒部５２Ｂ３の外周縁とにて排気吹き出し孔４７８ＡＢ，４７８ＡＧ，４７８ＡＲが形成される。これら排気吹き出し孔４７８ＡＢ，４７８ＡＧ，４７８ＡＲは、外装ケース２内に組み付けられた状態で、光学ユニットの液晶パネル４４１Ｂ，４４１Ｇ，４４１Ｒにそれぞれ臨む位置となる。また、排気吹き出し孔４７８ＡＢ，４７８ＡＧ，４７８ＡＲの開口縁には、上方に向けて一対の立上片４７８Ａ４が切り起こし形成されている。
【００４９】
また、整流下抑え板５２Ｂ２の上面には、第１の分流板５２Ｂ７と、一対の第２の分流板５２Ｂ８とが設けられている。そして、第１の分流板５２Ｂ７は、平面が上下方向かつ吸気ダクト部５２Ａのレンズ保持部５２Ａ１の軸方向に沿って設けられ、整流下抑え板５２Ｂ２の頂角に対応する位置に設けられている。この第１の分流板５２Ｂ７により、排気ダクト部５２Ｂには、シロッコファン５１Ａのファン排気孔５１Ａ２が、第１の排気連通孔５２Ｂ４を介して排気吹き出し孔４７８ＡＧ，４７８ＡＲに連通する第１の排気風路５２Ｂ９１と、シロッコファン５１Ｂのファン排気孔５１Ｂ２が、第２の排気連通孔５２Ｂ６を介して排気吹き出し孔４７８ＡＢ，４７８ＡＧに連通する第２の排気風路５２Ｂ９２とが一対形成される。
【００５０】
さらに、第２の分流板５２Ｂ８は、平面方向が上下方向かつシロッコファン５１Ａ，５１Ｂの対向方向に沿い、第１の排気風路５２Ｂ９１および第２の排気風路５２Ｂ９２内で、整流上抑え板４７８の排気吹き出し孔４７８ＡＢ，４７８ＡＲに臨む位置に設けられている。すなわち、第２の分流板５２Ｂ８は、第１の排気風路５２Ｂ９１および第２の排気風路５２Ｂ９２内を流通する空気の流れ方向に対して略直交して空気の流れを阻害する。この空気の流れを阻害する状態は、流れる空気の２／３は排気吹き出し孔４７８ＡＢ，４７８ＡＲから流出し、残りがさらに排気吹き出し孔４７８ＡＧから流出する条件である。これら第１の分流板５２Ｂ７と、一対の第２の分流板５２Ｂ８とにて分流部材が構成される。
【００５１】
一方、ランプ冷却系Ｂでは、図４ないし図６に示すように、光学ユニット４の下面に設けられたシロッコファン５４が用いられている。シロッコファン５４によって引き寄せられたプロジェクタ１内の冷却空気は、上ライトガイド４７２に設けられた図示しない開口部からライトガイド４７内に入り込み、ユニット化された第２レンズアレイ４１４および偏光変換素子４１５間を通ってこれらを冷却した後、下ライトガイド４７１の排気側開口４７１Ａから出て該シロッコファン５４に吸引され、吐き出される。吐き出された冷却空気は、下ライトガイド４７１の吸気側開口４７１Ｂから再度ライトガイド４７内に入り、光源装置４１３内に入り込んで光源ランプ４１１を冷却し、この後、ライトガイド４７から出て、前記軸流排気ファン５３によって排気口２１２Ｂから排気される。
【００５２】
また、電源冷却系Ｃでは、図４に示すように、電源３１の後方に設けられた軸流吸気ファン５５が用いられる。軸流吸気ファン５５によって背面側の吸気口２Ｄから吸引された冷却空気は、電源３１およびランプ駆動回路３２を冷却した後、他の冷却系統Ａ，Ｂと同様に、軸流排気ファン５３によって排気口２１２Ｂから排気される。
【００５３】
〔４．光学部品の取付構造〕
以下には、図８ないし図１３をも参照し、液晶パネル４４１Ｒ，４４１Ｇ，４４１Ｂならびにクロスダイクロイックプリズム４５の取付構造に付いて詳説する。
なお、本一実施の形態において、光学ユニットとは、互いに一体とされたクロスダイクロイックプリズム４５および液晶パネル４４１Ｒ，４４１Ｇ，４４１Ｂをいう。また、別の光学装置としての光学ユニットとは、図４，図７に示すフィールドレンズ４１７、ダイクロイックミラー４２１，４２２、入射側レンズ４３１、リレーレンズ４３３等である。
【００５４】
先ず、図８に示すように、各液晶パネル４４１Ｒ，４４１Ｇ，４４１Ｂは、保持枠４４３内に収納され、この保持枠４４３の四隅部分に形成される孔４４３Ａに透明樹脂製のピン４４５を紫外線硬化型接着剤とともに挿入することにより、クロスダイクロイックプリズム４５の側面である光束入射面側に金属製の固定用プレート４４６を介して接着されている（いわゆるＰＯＰ（Ｐａｎｅｌ  Ｏｎ  Ｐｒｉｓｍ）構造によるクロスダイクロイックプリズム４５への固定）。
【００５５】
ここで、保持枠４４３には矩形状の開口部４４３Ｂが形成され、各液晶パネル４４１Ｒ，４４１Ｇ，４４１Ｂは、この開口部４４３Ｂで露出し、この部分が画像形成領域となる。すなわち、各液晶パネル４４１Ｒ，４４１Ｇ，４４１Ｂのこの部分に各色光Ｒ、Ｇ、Ｂが導入され、画像情報に応じて光学像が形成される。
【００５６】
固定用プレート４４６は、クロスダイクロイックプリズム４５の光束入射面に接着剤等で直付けされており、外周形状が当該光束入射面よりも若干大きい。そして、固定用プレート４４６において、クロスダイクロイックプリズム４５の光束入射面からはみ出した部分に前記ピン４４５が接着されている。このことにより、クロスダイクロイックプリズム４５自身を必要以上に大きくしなくとも、保持枠４４３をクロスダイクロイックプリズム４５側に固定することが可能である。この固定用プレート４４６には、液晶パネル４４１Ｒ，４４１Ｇ，４４１Ｂ側からの光束がクロスダイクロイックプリズム４５に入射するように、保持枠４４３の開口部４４３Ｂに対応した開口部４４６Ａ（図１２）が設けられている。
【００５７】
ＰＯＰ構造で一体とされた液晶パネル４４１Ｒ，４４１Ｇ，４４１Ｂおよびクロスダイクロイックプリズム４５からなるプリズムユニットは、図９にも示すように、クロスダイクロイックプリズム４５の上面（光束入射面に対して直交する面）に接着等された取付部材４４７を介して下ライトガイド４７１の取付部４７３に固定されている。
【００５８】
この取付部材４４７は、平面視において、四方に延出した四つの腕部４４７Ａを備えており、各腕部４４７Ａに設けられた丸孔４４７Ｂのうち、ほぼ対角線上にある二つの丸孔４４７Ｂは、対応した取付部４７３に設けられた位置出しようの突部４７４（図１３にも図示）に嵌合され、残る二つの丸孔４４７Ｂには、対応した取付部４７３に螺合されるネジ４７５が挿通される。また、取付部材４４７の中央の四角形部分には、着脱時に作業者が把持し易いように、適宜な把持部が設けられている。
なお、クロスダイクロイックプリズム４５への液晶パネル４４１Ｒ，４４１Ｇ，４４１Ｂの三次元的な位置調整は、クロスダイクロイックプリズム４５に取付部材４４７が固定された状態で予め行われる。
【００５９】
一方、下ライトガイド４７１の取付部４７３は、下ライトガイド４７１のほぼ上下方向にわたって連続した円柱状または角柱状の四つのボス部４７６の上部に設けられている。従って、取付部材４４７が取付部４７３に取り付けられた状態では、液晶パネル４４１Ｒ，４４１Ｇ，４４１Ｂおよびクロスダイクロイックプリズム４５は、取付部材４４７の下面側に吊り下げられた状態に配置され、下ライトガイド４７１の底面から僅かに浮いた状態でライトガイド４７内に収容される。
【００６０】
このような下ライトガイド４７１において、投写レンズ４６側の二つのボス部４７６には、投写レンズ４６固定用のヘッド部４９が一体に設けられており、重量の大きい投写レンズ４６がヘッド部４９に固定されても、ヘッド部４９が傾かないようにボス部４７６で補強している。
投写レンズ４６側から離間した二つのボス部４７６には、上下方向に沿った複数の保持片４７７（図４、図９に一部の保持片４７７を代表して図示）が設けられ、フィールドレンズ４１７、ダイクロイックミラー４２１，４２２、入射側レンズ４３１、リレーレンズ４３３を嵌め込むための溝が、近接し合う一対の保持片４７７間に形成されるようになっている。つまり、これらの保持片４７７もボス部４７６と一体に形成されることにより、ボス部４７６で補強されている。
【００６１】
また、図６、図１０に示すように、下ライトガイド４７１の底面には、液晶パネル４４１Ｒ，４４１Ｇ，４４１Ｂに対応した三箇所に吸気側開口４７１Ｃが設けられ、これらの吸気側開口４７１Ｃからライトガイド４７内に流入するパネル冷却系Ａ（図２，図５）での冷却空気で液晶パネル４４１Ｒ，４４１Ｇ，４４１Ｂが冷却される。
この際、下ライトガイド４７１の下面には、上述した平面略三角形の板状の整流上抑え板４７８が設けられ、図９ないし図１２に示すように、整流上抑え板４７８に設けられた一対の立上片４７８Ａ４（合計６枚）が吸気側開口４７１Ｃから上方側に突出するようになっている。ただし、図１０では、立上片４７８Ａ４を二点鎖線で示してある。これらの立上片４７８Ａ４により、液晶パネル４４１Ｒ，４４１Ｇ，４４１Ｂを冷却するための冷却空気の流れが下方から上方へ整えられる。
【００６２】
さらに、図１０において、吸気側開口４７１Ｃの周縁のうち、クロスダイクロイックプリズム４５側であって、かつその光束入射面に平行な一周縁には、固定用プレート４４６の辺縁が下方側に延出して形成された延出部４４６Ｂが近接しており、この延出部４４６Ｂが吸気側開口４７１Ｃの当該一周縁に沿って配置されることで、整流板としての役目を果たしている。このため、パネル冷却系Ａの冷却空気の一部は延出部４４６Ｂに案内され、下ライトガイド４７１の底面およびクロスダイクロイックプリズム４５間の隙間から漏れることなく、液晶パネル４４１Ｒ，４４１Ｇ，４４１Ｂとクロスダイクロイックプリズム４５間の隙間に流入するようになっている。
そして、このような延出部４４６Ｂの裏面側（クロスダイクロイックプリズム４５側）には、下ライトガイド４７１の底面から立ち上がった立上部４７１Ｄが位置しており、この立上部４７１Ｄと延出部４４６Ｂとが重なり合うことで、冷却空気をさらに逃げにくくしている。
【００６３】
他方、上ライトガイド４７２には、図１０に示すように、液晶パネル４４１Ｒ，４４１Ｇ，４４１Ｂおよびクロスダイクロイックプリズム４５に対応した部分に切欠開口４７２Ａが設けられ、下ライトガイド４７１の取付部４７３もこの切欠開口４７２Ａから露出している。すなわち、液晶パネル４４１Ｒ，４４１Ｇ，４４１Ｂおよびクロスダイクロイックプリズム４５は、予め取付部材４４７に固定されていることにより、下ライトガイド４７１に上ライトガイド４７２が取り付けられた状態でも、取付部４７３に対して取付部材４４７ごと着脱することが可能である。
【００６４】
また特に、ヘッド部４９と一体のボス部４７６に設けられた取付部４７３は、図１１に示す投写レンズ４６の中心軸Ｘ−Ｘよりも上方に位置している。このため、図１３に示すように、ヘッド部４９からクロスダイクロイックプリズム４５側に突出した投写レンズ４６の端部４６Ａの外周に対し、平面視では取付部材４４７の二本の腕部４４７Ａが重なるが、互いの実質的な干渉が生じないようになっている。
【００６５】
次に、電気光学装置４４の冷却動作について説明する。
【００６６】
まず、シロッコファン５１Ａ，５１Ｂに電力を供給して駆動、すなわち電動部５１Ａ４，５１Ｂ４を駆動させてファン翼５１Ａ５，５１Ｂ５を回転させる。これらシロッコファン５１Ａ，５１Ｂの駆動により、ファンケース５１Ａ３，５１Ｂ３内の空気がファン排気孔５１Ａ２，５１Ｂ２からそれぞれ排気ダクト部５２Ｂに流れる。このため、ファンケース５１Ａ３，５１Ｂ３内の大気圧に対する負圧が増大する。さらに、ファン吸気孔５１Ａ１，５１Ｂ１に連通する吸気ダクト部５２Ａの第１の吸気室５２Ａ３１および第２の吸気室５２Ａ３２内も、大気圧に対する負圧が増大する。
【００６７】
そして、第１の吸気室５２Ａ３１および第２の吸気室５２Ａ３２に連通する外装ケース２の吸気口２３１Ｂから、カバー体２３１Ｃの吸気用口２３１Ｃ１を介して外部の空気が吸気される。ここで、第１の吸気室５２Ａ３１および第２の吸気室５２Ａ３２は、整流板５２Ａ６により２等分されている。このことから、吸気口２３１Ｂから吸気された空気は、第１の吸気風路５２Ａ７および第２の吸気風路５２Ａ８内を半分ずつ流通して一対のシロッコファン５１Ａ１，５１Ｂ１内にそれぞれ流入する。すなわち、吸気された空気は、略半分ずつ吸気ダクト部５２Ａの第１の吸気室５２Ａ３１および第２の吸気室５２Ａ３２内に流れ、ダクト連通孔５２Ａ４，５２Ｂ４およびファン吸気孔５１Ａ１，５１Ｂ１を介してファンケース５１Ａ３，５１Ｂ３内に吸気される。
【００６８】
さらに、ファンケース５１Ａ３，５１Ｂ３内に吸気された空気は、それぞれ排気ダクト部５２Ｂの第１の排気連通孔５２Ｂ４および第２の排気連通孔５２Ｂ６を介して第１の排気風路５２Ｂ９１および第２の排気風路５２Ｂ９２にそれぞれ排気される。そして、これら第１の排気風路５２Ｂ９１および第２の排気風路５２Ｂ９２内に排気されて流通する排気風は、まず第２の分流板５２Ｂ８にて流れが阻害される。この流れの阻害により、各排気風の風量の２／３は排気吹き出し孔４７８ＡＢ，４７８ＡＲからそれぞれ上方に向けて流出する。そして、この排気風の上方への流出により、排気風が上方に位置する液晶パネル４４１Ｂ，４４１Ｒ近傍に吹き付け、特にこれら液晶パネル４４１Ｂ，４４１Ｒ近傍が冷却される。
【００６９】
また、排気風の残部である風量の１／３は、さらに第１の排気風路５２Ｂ９１および第２の排気風路５２Ｂ９２内を流通し、第１の分流板５２Ｂ７により排気吹き出し孔４７８ＡＧからそれぞれ流出する。この第１の排気風路５２Ｂ９１および第２の排気風路５２Ｂ９２の各排気吹き出し孔４７８ＡＧからそれぞれ流出することにより、排気風は合流する。この排気風の合流により、総風量が排気吹き出し孔４７８ＡＢ，４７８ＡＲから吹き出される風量と略同量となる。合流した排気風は、液晶パネル４４１Ｇ近傍に吹き付けられ、特に液晶パネル４４１Ｇ近傍が冷却される。
【００７０】
そして、プリズムユニットを冷却した後の排気風は、プリズムユニットの上方から光学ユニット４内を流通し、最終的に外装ケース２から排気される。
【００７１】
このような本一実施の形態によれば、以下のような効果がある。
（１）投写レンズ４６に隣接して配設したシロッコファン５１Ａ，５１Ｂにより外装ケース２の下面の吸気口２３１Ｂから吸気し、このシロッコファン５１Ａ，５１Ｂから排気される排気風をダクト５２の排気ダクト部５２Ｂを介してプリズムユニットに吹き付けて冷却する。このため、投写レンズ４６の周囲の利用しにくい空間を有効活用して小型化を図ることができる。そして、単に外装ケース２の下面に吸気口２３１Ｂを設ける簡単な構造で、小型化できるとともに製造性を向上できる。さらに、吸気口２３１Ｂが下方に向けて開口する状態であることから、例えば空気中の塵埃が吸気口２３１Ｂからシロッコファン５１Ａ，５１Ｂに吸気されにくく、シロッコファン５１Ａ，５１Ｂやダクト５２内、プリズムユニットなどに塵埃が付着して、冷却効率が低下したり、プリズムユニットの特性が損なわれるなどの塵埃による影響を生じることを防止できる。
【００７２】
（２）投写レンズ４６に隣接して投写レンズ４６の径方向に位置して一対配設したシロッコファン５１Ａ，５１Ｂからの排気風をプリズムユニットにダクト５２の排気ダクト部５２Ｂを介して吹き付ける。このため、投写レンズ４６の周囲の利用しにくい空間を有効活用して小型化を図ることができる。そして、一対のシロッコファン５１Ａ，５１Ｂにより、プリズムユニットを冷却するための風量を十分に確保でき、シロッコファン５１Ａ，５１Ｂの負荷を低減できることから、小型のシロッコファン５１Ａ，５１Ｂを利用でき、小型化を図ることができるとともに回転速度の低減により騒音の低減を図ることができる。
【００７３】
（３）シロッコファン５１Ａ，５１Ｂの回転方向を投写レンズ４６を中心として左右対称として、同一のファンを用いたので、シロッコファン５１Ａ，５１Ｂの組付けの際の方向性がなく、組立性を向上できる。
【００７４】
（４）電気光学装置４４、投写レンズ４６、一対のシロッコファン５１Ａ，５１Ｂおよびダクト５２が配設される外装ケース２に、一対のシロッコファン５１Ａ，５１Ｂの吸気側にそれぞれ連通する１つの吸気口２３１Ｂを設ける。このため、複数のシロッコファン５１Ａ，５１Ｂを備えた構成でも、１つの吸気口２３１Ｂを設ける簡単な構造で吸気でき、複数の吸気口２３１Ｂを設ける場合に比して、製造性を向上できるとともに、外装ケース２の強度の低下も防止できる。
【００７５】
（５）一対のシロッコファン５１Ａ，５１Ｂの吸気側に、これらシロッコファン５１Ａ，５１Ｂが吸気する各吸気量を略同量に整流する整流部材としての整流板５２Ａ６を設ける。このため、各シロッコファン５１Ａ，５１Ｂからそれぞれ安定して吸気でき、シロッコファン５１Ａ，５１Ｂの負荷が安定し、冷却効率を向上できるとともに騒音を低減できる。
【００７６】
（６）整流部材として板状の整流板５２Ａ６を吸気口２３１Ｂに対して略２等分する状態で設ける。このため、簡単な構成で一対のシロッコファン５１Ａ，５１Ｂが吸気する各吸気量を略同量に整流することが容易にできる。
【００７７】
（７）プリズムユニットの複数の光成分に変調された色光Ｒ，Ｇ，Ｂがそれぞれ入射される複数の入射面、すなわち電気光学装置４４を構成する液晶パネル４４１Ｒ，４４１Ｇ，４４１Ｂの近傍に、それぞれ略同量の排気風を吹き付けさせる分流部材をダクト５２に設ける。このため、プリズムユニットが偏り無く安定して冷却でき、安定したプリズムユニットの特性を得ることができ、安定して投射でき、良好な投写画像を形成できる。
【００７８】
（８）分流部材は、３つの色光を合成するプリズムユニットの３つの入射面、すなわち液晶パネル４４１Ｒ，４４１Ｇ，４４１Ｂの近傍に、一対のシロッコファン５１Ａ，５１Ｂからの排気風の風量の２／３を異なる２つの液晶パネル４４１Ｒ，４４１Ｂ近傍に吹き付け、排気風の風量の残部を他の液晶パネル４４１Ｇに合流させて吹き付ける。このため、プリズムユニットが偏り無く安定して冷却でき、安定したプリズムユニットの特性を得ることができ、安定して投射でき、良好な投写画像を形成できる。
【００７９】
（９）分流部材として、一対のシロッコファン５１Ａ，５１Ｂからの排気風をそれぞれ流通する第１の排気風路５２Ｂ９１および第２の排気風路５２Ｂ９２を区画する第１の分流板５２Ｂ７と、第１の排気風路５２Ｂ９１および第２の排気風路５２Ｂ９２内にそれぞれ排気風の流れを阻害する状態で設けられた一対の第２の分流板５２Ｂ８とにて構成する。このため、プリズムユニットを偏り無く安定して冷却できる構成を簡略化でき、製造性を向上できる。
【００８０】
（１０）ファンとして例えば軸流ファンなどに比して風速が速いシロッコファン５１Ａ，５１Ｂを用いる。このため、冷却効率を向上できる。さらに、小型のものを利用でき、プロジェクタ１の小型化を図ることができる。
【００８１】
（１１）プロジェクタ１では、互いに一体とされた液晶パネル４４１Ｒ，４４１Ｇ，４４１Ｂおよびクロスダイクロイックプリズム４５からなるプリズムユニットは、取付部材４４７を介して下ライトガイド４７１に対し着脱可能に取り付けられるが、この際、そのプリズムユニットは、取付部材４４７に吊り下げられた状態で固定され、また、取付部材４４７は、そのプリズムユニットよりも着脱方向の手前側となるボス部４７６上部の取付部４７３に取り付けられているので、プリズムユニットを交換する場合には、ネジ４７５を外したり、再度締め付けるためのドライバーをライトガイド４７の内部に差し入れる必要がない。従って、ドライバーでライトガイド４７内に収容されたフィールドレンズ４１７等を傷付ける心配がなく、交換作業をライトガイド４７の上方側から容易にできる。
【００８２】
（１２）また、取付部材４４７が手前側にあることにより、交換作業にあたっては、四方に延出した取付部材４４７の腕部４４７Ａがライトガイド４７内のフィールドレンズ４１７等にぶつかることもなく、この点でも交換作業を容易に行える。
【００８３】
（１３）取付部材４４７の腕部４４７Ａがライトガイド４７内に収容されないために、液晶パネル４４１Ｒ，４４１Ｇ，４４１Ｂ周辺の配置スペースを小さくでき、ライトガイド４７を含む光学ユニット４の小型化を実現できる。
【００８４】
（１４）投写レンズ４６側のボス部４７６は、ヘッド部４９と一体に形成されているので、ヘッド部４９をボス部４７６で補強でき、その分ヘッド部４９を薄肉化しても投写レンズ４６の固定による倒れ込みを防止でき、かつヘッド部４９の薄肉化によってライトガイド４７、ひいては光学ユニット４の小型化をより促進できる。
【００８５】
（１５）さらに、フィールドレンズ４１７、ダイクロイックミラー４２１，４２２、入射側レンズ４３１、リレーレンズ４３３等の別の光学部品を保持するための保持片４７７も、投写レンズ４６から離間した側のボス部４７６に一体に設けられることで補強されるから、保持片４７７やその回りの肉厚を薄くでき、この点でも光学ユニット４の小型化を図ることができる。
【００８６】
（１６）ヘッド部４９と一体のボス部４７６上の取付部４７３は、投写レンズ４６の径方向の両側に位置し、かつ投写レンズ４６の中心軸Ｘ−Ｘから離間して上方に（中心軸Ｘ−Ｘよりも着脱方向の手前側に）設けられているので、そのような取付部４７３に取付部材４４７を取り付けた状態では、取付部材４４７の腕部４４７Ａとヘッド部４９を貫通して突出した投写レンズ４６の端部４６Ａとが干渉せず、その各腕部４４７Ａの幅や太さを大きくでき、液晶パネル４４１Ｒ，４４１Ｇ，４４１Ｂおよびクロスダイクロイックプリズム４５の支持強度を向上させることができる。
また、投写レンズ４６の端部４６Ａがヘッド部４９から突出してクロスダイクロイックプリズム４５により近接しているため、解像度が同じであれば、投写画像がより明るくでき、反対に同じ明るさであれば、解像度を向上させることができる。また、投写距離をより短くすることもできる。
【００８７】
（１７）下ライトガイド４７１の底面に設けられた吸気側開口４７１Ｃの一周縁には、クロスダイクロイックプリズム４５に固定された固定用プレート４４６の延出部４４６Ｂが近接し、この延出部４４６Ｂが吸気側開口４７１Ｃのその一周縁に沿って配置されているから、延出部４４６Ｂを整流板として機能させることができる。このため、パネル冷却系Ａの冷却空気の一部が延出部４４６Ｂに案内されるようになり、液晶パネル４４１Ｒ，４４１Ｇ，４４１Ｂとクロスダイクロイックプリズム４５間の隙間に冷却空気を確実に流入させることができ、液晶パネル４４１Ｒ，４４１Ｇ，４４１Ｂの特に光出射側の面を効率よく冷却できる。
【００８８】
（１８）また、整流上抑え板４７８の立上片４７８Ａ４が吸気側開口４７１Ｃから上方に突出しているため、冷却空気を下方から上方の液晶パネル４４１Ｒ，４４１Ｇ，４４１Ｂ側に確実に案内でき、冷却空気がライトガイド４７内に漏れるのを抑えて液晶パネル４４１Ｒ，４４１Ｇ，４４１Ｂをより効率的に冷却できる。
【００８９】
（１９）さらに、取付部材４４７がクロスダイクロイックプリズム４５の下面および下ライトガイド４７１の底面間に存在しないことから、液晶パネル４４１Ｒ，４４１Ｇ，４４１Ｂを吸気側開口４７１Ｃに近づけることができ、それらの冷却効率をさらに向上させることができる。
【００９０】
なお、本発明は、上記一実施の形態に限定されるものではなく、本発明の目的を達成できる他の構成等を含み、以下に示すような変形等も本発明に含まれる。
【００９１】
すなわち、上記一実施の形態では、ファンとしてシロッコファン５１Ａ，５１Ｂを用いて説明したが、軸流ファンなどの他のいずれのファンを用いても対応できる。
【００９２】
また、シロッコファン５１Ａ，５１Ｂを一対配設したが、３つ以上の複数を配設することもできる。さらには、投写レンズ４６の径方向で水平方向に沿って対向する状態に配設したが、上下方向など、投写レンズ４６の径方向に配設すればよい。また、同一物を用いたが、回転方向が投写レンズ４６を中心として対称となるようにことなる規格のものを用いてもできる。
【００９３】
そして、一対のシロッコファン５１Ａ，５１Ｂを用いる場合には、吸気口２３１Ｂは外装ケース２の下面でなくてもよい。すなわち、上面や側面に設けてもよい。なお、上面より側面の方が塵埃の落下が少ないことから好ましい。さらに、塵埃のさらなる侵入を防止するために、フィルタで吸気口２３１Ｂを覆ってもよい。
【００９４】
また、シロッコファン５１Ａ，５１Ｂに対応してそれぞれ吸気口２３１Ｂを設けてもできる。
【００９５】
さらに、整流部材を設けなくてもよく、整流部材として板状の整流板５２Ａ６を用いる構成に限られず、各シロッコファン５１Ａ，５１Ｂがそれぞれ同量で吸気できるようにするいずれの構成でもできる。
【００９６】
また、分流部材を設けなくてもよく、分流部材として板状の第１の分流板５２Ｂ７および一対の第２の分流板５２Ｂ８を用いる構成に限らない。すなわち、いずれかの液晶パネル４４１Ｂ，４４１Ｇ，４４１Ｒが他より多い風量で冷却するなど、プリズムユニットの一部に他より多少多い風量で冷却させてもできる。
【００９７】
また、光学装置を構成する電気光学装置４４としては、３種類の液晶パネル４４１Ｂ，４４１Ｇ，４４１Ｒにて構成したが、３つに限らず、液晶パネルを１つのみあるいは複数備えた構成でもできる。
【００９８】
一方、固定用プレート４４６に下方に延出した延出部４６Ｂが設けられ、この延出部４４６Ｂが整流板の役目を果たしていたが、このような延出部４４６Ｂは適宜設けられればよく、省略可能である。そして、このような延出部４４６Ｂがない場合には、下ライトガイド４７１の底面に設けられた立上部４７１Ｄのみで冷却空気が案内されるようになる。ただし、実施形態のような延出部４４６Ｂにより、冷却空気の漏れをより防止できるので、延出部４４６Ｂを設けることが望ましい。
【００９９】
ボス部４７６には、ヘッド部４９や保持片４７７が一体に設けられていたが、それぞれを個別に設けた場合でも本発明に含まれる。
さらに、本発明に係る取付部は、ボス部４７６上に設けられる必要はなく、下ライトガイド４７１の上端面の一部に設けられるなど、設けられる位置や形状等は任意である。
また、取付部材４４７の形状も任意であり、前記実施形態での取付部材４４７の形状に限定されない。
【０１００】
上記一実施の形態では、液晶パネル４４１Ｒ，４４１Ｇ，４４１Ｂとクロスダイクロイックプリズム４５とからなるプリズムユニットを、取付部材４４７ごと上下方向に着脱させる構成であったが、本発明では、そのようなプリズムユニットの着脱方向は任意であり、着脱方向の手前側に取付部材４４７が設けられ、奥側にプリズムユニットが設けられる構成であればよい。従って、例えば、取付部材４４７がクロスダイクロイックプリズム４５の下面側に設けられた場合において、液晶パネル４４１Ｒ，４４１Ｇ，４４１Ｂおよびクロスダイクロイックプリズム４５を、取付部材４４７ごと下ライトガイド４７１の下面側から着脱できるように構成してもよい。
【０１０１】
さらに、上記一実施の形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。
【０１０２】
また、上記一実施の形態では、光変調装置として液晶パネルを用いていたが、マイクロミラーを用いたデバイスなど、液晶以外の光変調装置を用いてもよい。さらに、上記一実施の形態では、光入射面と光出射面とが異なる透過型の光変調装置を用いていたが、光入射面と光出射面とが同一となる反射型の光変調装置を用いてもよい。
【０１０３】
さらにまた、上記一実施の形態では、スクリーンを観察する方向から投写を行うフロントタイプのプロジェクタの例のみを挙げたが、本発明は、スクリーンを観察する方向とは反対側から投写を行うリアタイプのプロジェクタにも適用可能である。
【０１０４】
【発明の効果】
以上に述べたように、本発明によれば、簡単な構造で容易に小型化できる。また、ファンの負荷を低減して騒音を低減できる。
【図面の簡単な説明】
【図１】本発明の一本実施形態に係るプロジェクタを上方から見た全体斜視図である。
【図２】前記プロジェクタを下方から見た全体斜視図である。
【図３】前記プロジェクタの内部を示す斜視図であり、具体的には、図１の状態からプロジェクタのアッパーケースを外した図である。
【図４】前記プロジェクタの内部を示す斜視図であり、具体的には、図３の状態からシールド板、ドライバーボード、および上ライトガイドを外して後方側から見た図である。
【図５】前記プロジェクタの内部を示す斜視図であり、具体的には、図４の状態から光学ユニットを外した図である。
【図６】前記光学ユニットを下方側から見た斜視図である。
【図７】前記プロジェクタの光学系を模式的に示す平面図である。
【図８】互いに一体とされた液晶パネルおよびプリズムからなる光学部品を下方側から見た斜視図である。
【図９】下ライトガイドにおける前記光学部品の取付位置を示す斜視図である。
【図１０】前記光学ユニットを示す平面図である。
【図１１】図１０のＸＩ−ＸＩ線断面図である。
【図１２】図１１で示したＸＩＩ部分の拡大図であある。
【図１３】前記光学ユニットの要部を拡大して示す平面図である。
【図１４】前記プロジェクタの冷却系の構成を示す斜視図である。
【図１５】前記プロジェクタの冷却系の構成を示す底面斜視図である。
【図１６】前記プロジェクタの冷却系の構成を示す分解斜視図である。
【図１７】前記プロジェクタの冷却系の分流部材の構成を模式的に示す断面図である。
【符号の説明】
１  プロジェクタ
２  筐体である外装ケース
２３１Ｃ  吸気口
４４  電気光学装置
４４１Ｂ，４４１Ｇ，４４１Ｒ  電気光学装置を構成する液晶パネル
４６  投写レンズ
５１Ａ，５１Ｂ  ファンとしてのシロッコファン
５２  ダクト
５２Ａ６  整流部材としての整流板
５２Ｂ７  分流部材を構成する第１の分流板
５２Ｂ８  分流部材を構成する第２の分流板
Ａ  冷却装置としてのパネル冷却系
【図１】
0003558084.tif 000002
【図２】
0003558084.tif 000003
【図３】
0003558084.tif 000004
【図４】
0003558084.tif 000005
【図５】
0003558084.tif 000006
【図６】
0003558084.tif 000007
【図７】
0003558084.tif 000008
【図８】
0003558084.tif 000009
【図９】
0003558084.tif 000010
【図１０】
0003558084.tif 000011
【図１１】
0003558084.tif 000012
【図１２】
0003558084.tif 000013
【図１３】
0003558084.tif 000014
【図１４】
0003558084.tif 000015
【図１５】
0003558084.tif 000016
【図１６】
0003558084.tif 000017
【図１７】
0003558084.tif 000018